(57)【要約】【課題】  導入流路の下端部および排出流路の下端部に水溜りができることを従来より防止できる加湿装置の提供。【解決手段】  導入流路１４のケース内流路１１側端の下端位置１４ａが、ケース内流路１１の導入流路１４側端の下端位置１１ａと鉛直方向同位置にあり、ガス導入口内流路１２の導入流路１４側端の下端位置１２ａと鉛直方向同位置にあるか該下端位置１２ａより鉛直方向下方に位置しており、排出流路１５のケース内流路１１側端の下端位置１５ａが、ケース内流路１１の排出流路１５側端の下端位置１１ｂと鉛直方向同位置にあり、ガス排出口内流路１３の排出流路１５側端の下端位置１３ａと鉛直方向同位置にあるか該下端位置１３ａより鉛直方向上方に位置している、加湿装置１０。【選択図】        図１
2008133989.tif 000002
【特許請求の範囲】
【請求項１】
装置軸方向に延びるケース内流路と、
前記ケース内流路より装置軸方向一側に位置するガス導入口内流路と、
前記ケース内流路より装置軸方向他側に位置するガス排出口内流路と、
装置軸方向に前記ケース内流路と前記ガス導入口内流路との間に位置し前記ガス導入口内流路から流れてきたガスを前記ケース内流路に導く導入流路と、
装置軸方向に前記ケース内流路と前記ガス排出口内流路との間に位置し前記ケース内流路から流れてきた前記ガスを前記ガス排出口内流路に導く排出流路と、
を有し、
前記導入流路の前記ケース内流路側端の下端位置が、前記ケース内流路の前記導入流路側端の下端位置と鉛直方向同位置にあり、前記ガス導入口内流路の前記導入流路側端の下端位置と鉛直方向同位置にあるか該下端位置より鉛直方向下方に位置しており、
前記排出流路の前記ケース内流路側端の下端位置が、前記ケース内流路の前記排出流路側端の下端位置と鉛直方向同位置にあり、前記ガス排出口内流路の前記排出流路側端の下端位置と鉛直方向同位置にあるか該下端位置より鉛直方向上方に位置している、加湿装置。
【請求項２】
装置軸方向に延びるケース内流路と、
前記ケース内流路より装置軸方向一側に位置するガス導入口内流路と、
前記ケース内流路より装置軸方向他側に位置するガス排出口内流路と、
装置軸方向に前記ケース内流路と前記ガス導入口内流路との間に位置し前記ガス導入口内流路から流れてきたガスを前記ケース内流路に導く導入流路と、
装置軸方向に前記ケース内流路と前記ガス排出口内流路との間に位置し前記ケース内流路から流れてきた前記ガスを前記ガス排出口内流路に導く排出流路と、
を有し、
前記導入流路の前記ケース内流路側端の下端位置が、前記ケース内流路の前記導入流路側端の下端位置より鉛直方向上方に位置しており、前記ガス導入口内流路の前記導入流路側端の下端位置と鉛直方向同位置にあるか該下端位置より鉛直方向下方に位置しており、
前記排出流路の前記ケース内流路側端の下端位置が、前記ケース内流路の前記排出流路側端の下端位置より鉛直方向下方に位置しており、前記ガス排出口内流路の前記排出流路側端の下端位置と鉛直方向同位置にあるか該下端位置より鉛直方向上方に位置している、加湿装置。
【請求項３】
前記導入流路の流路断面積は、前記ガス導入口内流路から前記ケース内流路に近づくにつれて大となっている請求項１または請求項２記載の加湿装置。
【請求項４】
前記排出流路の流路断面積は、前記ケース内流路から前記ガス排出口内流路に近づくにつれて小となっている請求項１または請求項２記載の加湿装置。
【請求項５】
前記導入流路の前記ケース内流路側端の流路断面積は、前記ケース内流路の前記導入流路側端の流路断面積と同じかまたはほぼ同じである請求項１記載の加湿装置。
【請求項６】
前記排出流路の前記ケース内流路側端の流路断面積は、前記ケース内流路の前記排出流路側端の流路断面積と同じかまたはほぼ同じである請求項１記載の加湿装置。
【発明の詳細な説明】
【技術分野】
【０００１】
本発明は、燃料電池用の加湿装置に関する。
【背景技術】
【０００２】
従来の加湿装置１は、図３に示すように、装置軸方向に延びるケース内流路１ａと、  ケース内流路１ａより装置軸方向一側に位置するガス導入口内流路１ｂと、ケース内流路１ａより装置軸方向他側に位置するガス排出口内流路１ｃと、装置軸方向にケース内流路１ａとガス導入口内流路１ｂとの間に位置しガス導入口内流路１ｂから流れてきたガスをケース内流路１ａに導く導入流路１ｄと、装置軸方向にケース内流路１ａとガス排出口内流路１ｃとの間に位置しケース内流路１ａから流れてきたガスをガス排出口内流路１ｃに導く排出流路１ｅと、を有する。
導入流路１ｄのケース内流路１ａ側端の下端位置１ｆは、ケース内流路１ａの導入流路１ｄ側端の下端位置１ｇおよびガス導入口内流路１ｂの導入流路１ｄ側端の下端位置１ｈより、鉛直方向下方に位置している。排出流路１ｅのケース内流路１ａ側端の下端位置１ｉは、ケース内流路１ａの排出流路１ｅ側端の下端位置１ｊおよびガス排出口内流路１ｃの排出流路１ｅ側端の下端位置１ｋより、鉛直方向下方に位置している。
【０００３】
しかし、従来の加湿装置１にはつぎの問題点がある。
導入流路１ｄのケース内流路１ａ側端の下端位置１ｆが、ケース内流路１ａの導入流路１ｄ側端の下端位置１ｇおよびガス導入口内流路１ｂの導入流路１ｄ側端の下端位置１ｈより下方に位置しているため、導入流路１ｄの下端部に水溜り２ができるおそれがある。また、排出流路１ｅのケース内流路１ａ側端の下端位置１ｉが、ケース内流路１ａの排出流路１ｅ側端の下端位置１ｊおよびガス排出口内流路１ｃの排出流路１ｅ側端の下端位置１ｋより鉛直方向下方に位置しているため、排出流路１ｅの下端部にも水溜り２ができるおそれがある。水溜り２ができてしまうと、加湿装置１が冷間にしばらく放置された場合に、水溜り２の水が凍結して体積膨張を起こしてしまい、加湿装置１のハウジング３が変形してしまう。その結果、加湿装置１の気密機能が妨げられ、加湿装置１の外部に内部のガスが漏れてしまう。
【特許文献１】特開２００５−３３７５３９号公報
【発明の開示】
【発明が解決しようとする課題】
【０００４】
本発明の目的は、導入流路の下端部および排出流路の下端部に水溜りができることを従来より防止できる加湿装置を提供することにある。
【課題を解決するための手段】
【０００５】
上記目的を達成する本発明はつぎの通りである。
（１）  装置軸方向に延びるケース内流路と、
前記ケース内流路より装置軸方向一側に位置するガス導入口内流路と、
前記ケース内流路より装置軸方向他側に位置するガス排出口内流路と、
装置軸方向に前記ケース内流路と前記ガス導入口内流路との間に位置し前記ガス導入口内流路から流れてきたガスを前記ケース内流路に導く導入流路と、
装置軸方向に前記ケース内流路と前記ガス排出口内流路との間に位置し前記ケース内流路から流れてきた前記ガスを前記ガス排出口内流路に導く排出流路と、
を有し、
前記導入流路の前記ケース内流路側端の下端位置が、前記ケース内流路の前記導入流路側端の下端位置と鉛直方向同位置にあり、前記ガス導入口内流路の前記導入流路側端の下端位置と鉛直方向同位置にあるか該下端位置より鉛直方向下方に位置しており、
前記排出流路の前記ケース内流路側端の下端位置が、前記ケース内流路の前記排出流路側端の下端位置と鉛直方向同位置にあり、前記ガス排出口内流路の前記排出流路側端の下端位置と鉛直方向同位置にあるか該下端位置より鉛直方向上方に位置している、加湿装置。
（２）  装置軸方向に延びるケース内流路と、
前記ケース内流路より装置軸方向一側に位置するガス導入口内流路と、
前記ケース内流路より装置軸方向他側に位置するガス排出口内流路と、
装置軸方向に前記ケース内流路と前記ガス導入口内流路との間に位置し前記ガス導入口内流路から流れてきたガスを前記ケース内流路に導く導入流路と、
装置軸方向に前記ケース内流路と前記ガス排出口内流路との間に位置し前記ケース内流路から流れてきた前記ガスを前記ガス排出口内流路に導く排出流路と、
を有し、
前記導入流路の前記ケース内流路側端の下端位置が、前記ケース内流路の前記導入流路側端の下端位置より鉛直方向上方に位置しており、前記ガス導入口内流路の前記導入流路側端の下端位置と鉛直方向同位置にあるか該下端位置より鉛直方向下方に位置しており、
前記排出流路の前記ケース内流路側端の下端位置が、前記ケース内流路の前記排出流路側端の下端位置より鉛直方向下方に位置しており、前記ガス排出口内流路の前記排出流路側端の下端位置と鉛直方向同位置にあるか該下端位置より鉛直方向上方に位置している、加湿装置。
（３）  前記導入流路の流路断面積は、前記ガス導入口内流路から前記ケース内流路に近づくにつれて大となっている（１）または（２）記載の加湿装置。
（４）  前記排出流路の流路断面積は、前記ケース内流路から前記ガス排出口内流路に近づくにつれて小となっている（１）または（２）記載の加湿装置。
（５）  前記導入流路の前記ケース内流路側端の流路断面積は、前記ケース内流路の前記導入流路側端の流路断面積と同じかまたはほぼ同じである（１）記載の加湿装置。
（６）  前記排出流路の前記ケース内流路側端の流路断面積は、前記ケース内流路の前記排出流路側端の流路断面積と同じかまたはほぼ同じである（１）記載の加湿装置。
【発明の効果】
【０００６】
上記（１）の加湿装置によれば、導入流路のケース内流路側端の下端位置が、ケース内流路の導入流路側端の下端位置と鉛直方向同位置にあり、ガス導入口内流路の導入流路側端の下端位置と鉛直方向同位置にあるか該下端位置より鉛直方向下方に位置しているため、導入流路内の水はケース内流路に流れる。そのため、従来に比べて、導入流路の下端部に水が溜ることを防止できる。
また、排出流路のケース内流路側端の下端位置が、ケース内流路の排出流路側端の下端位置と鉛直方向同位置にあり、ガス排出口内流路の排出流路側端の下端位置と鉛直方向同位置にあるか該下端位置より鉛直方向上方に位置しているため、排出流路内の水はガス排出口内流路に流れる。そのため、従来に比べて、排出流路の下端部に水が溜まることを防止できる。
【０００７】
上記（２）の加湿装置によれば、導入流路のケース内流路側端の下端位置が、ケース内流路の導入流路側端の下端位置より鉛直方向上方に位置しており、ガス導入口内流路の導入流路側端の下端位置と鉛直方向同位置にあるか該下端位置より鉛直方向下方に位置しているため、導入流路内の水はケース内流路に流れる。そのため、従来に比べて、導入流路の下端部に水が溜まることを防止できる。
また、排出流路のケース内流路側端の下端位置が、ケース内流路の排出流路側端の下端位置より鉛直方向下方に位置しており、ガス排出口内流路の排出流路側端の下端位置と鉛直方向同位置にあるか該下端位置より鉛直方向上方に位置しているため、排出流路内の水はガス排出口内流路に流れる。そのため、従来に比べて、排出流路の下端部に水が溜まることを防止できる。
【０００８】
上記（３）の加湿装置によれば、導入流路の流路断面積がガス導入口内流路からケース内流路に近づくにつれて大となっているため、ガス導入口内流路の流路断面積がケース内流路の流路断面積に比べて小であっても、ガス導入口内流路から流れてきたガスをケース内流路の全域に導くことができる。また、導入流路の流路断面積がガス導入口内流路からケース内流路に近づくにつれて大となっているため、導入流路の流路断面積が急激に変化することを防止でき、導入流路の流路断面積が急激に変化する場合に比べて、導入流路内のガス流れの抵抗を小にすることができる。
【０００９】
上記（４）の加湿装置によれば、排出流路の流路断面積がケース内流路からガス排出口内流路に近づくにつれて小となっているため、排出流路の流路断面積が急激に変化することを防止でき、排出流路の流路断面積が急激に変化する場合に比べて、排出流路内のガス流れの抵抗を小にすることができる。
【００１０】
上記（５）の加湿装置によれば、導入流路のケース内流路側端の流路断面積がケース内流路の導入流路側端の流路断面積と同じかまたはほぼ同じであるため、導入流路のケース内流路側端の流路断面積がケース内流路の導入流路側端の流路断面積と異なる場合に比べて、導入流路からケース内流路に流入するガス流れの抵抗を小にすることができる。
【００１１】
上記（６）の加湿装置によれば、排出流路のケース内流路側端の流路断面積がケース内流路の排出流路側端の流路断面積と同じかまたはほぼ同じであるため、排出流路のケース内流路側端の流路断面積がケース内流路の排出流路側端の流路断面積と異なる場合に比べて、ケース内流路から排出流路に流入するガス流れの抵抗を小にすることができる。
【発明を実施するための最良の形態】
【００１２】
図１は、本発明実施例１の加湿装置を示しており、図２は、本発明実施例２の加湿装置を示している。本発明実施例１と実施例２に共通する部分には、本発明実施例１と実施例２にわたって同じ符号を付してある。
まず、本発明実施例１と実施例２にわたって共通する部分を、たとえば図１を参照して、説明する。
【００１３】
本発明実施例の加湿装置（以下、単に装置ともいう）１０は、図示略の燃料電池に送り込まれるガスを加湿する装置である。加湿装置１０は、横置きタイプ（軸芯が水平またはほぼ水平方向となっているタイプ）である。加湿装置１０は、燃料電池で生成される水を利用して湿潤状態にされたガスを利用して、燃料電池に送り込まれるガスを加湿する。以下、本発明実施例では、燃料電池で生成される水を利用して湿潤状態にされたガスを第１のガスＧ１とし、燃料電池に送り込まれる加湿されるガスを第２のガスＧ２とする。ただし、燃料電池で生成される水を利用して湿潤状態にされたガスを第２のガスＧ２とし、燃料電池に送り込まれる加湿されるガスを第１のガスＧ１としてもよい。
【００１４】
加湿装置１０は、ハウジング２０と、ケース３０と、中空糸束４０と、を有する。加湿装置１０は、さらに、ケース内流路１１と、ガス導入口内流路１２と、ガス排出口内流路１３と、導入流路１４と、排出流路１５と、第２のガス導入口内流路１６と、第２のガス排出口内流路１７と、第２のガス導入流路１８と、第２のガス排出流路１９と、を有する。
【００１５】
ハウジング２０は、樹脂製または金属製である。ハウジング２０は、第１〜第４のハウジング要素２１，２２，２３，２４を備える。
【００１６】
第１のハウジング要素２１は、ケース３０より装置１０の軸方向外側（一側）に位置する。第１のハウジング要素２１は、第１のハウジング要素側小径部２１ａと、第１のハウジング要素側小径部２１ａより装置軸方向内側（ケース３０側）に位置し第１のハウジング要素側小径部２１ａから離れるにつれて内径が大とされた拡径部２１ｂと、を備える。
【００１７】
第２のハウジング要素２２は、ケース３０より装置１０の軸方向外側（他側）に位置する。第２のハウジング要素２２は、第２のハウジング要素側小径部２２ａと、第２のハウジング要素側小径部２２ａより装置軸方向内側（ケース３０側）に位置し第２のハウジング要素側小径部２２ａに近づくにつれて内径が小とされた縮径部２２ｂと、を備える。
【００１８】
第３のハウジング要素２３は、ケース３０より装置１０の半径方向外側に位置する。第３のハウジング要素２３は、ケース３０より装置１０の半径方向外側で装置１０の周方向に延びる第３のハウジング要素側周方向延び部２３ａと、第３のハウジング要素側周方向延び部２３ａから装置１０の半径方向外側に延びる第３のハウジング要素側半径方向延び部２３ｂと、を備える。
第３のハウジング要素２３は、第２のハウジング要素２２と固定されている。第３のハウジング要素２３と第２のハウジング要素２２との固定は、シールリング（Ｏリング）５０を間に配置した状態で図示略のボルトを用いて行われていてもよく、溶着、接着等することで行われていてもよい。
第３のハウジング要素２３は、ケース３０と固定されている。第３のハウジング要素２３とケース３０との固定は、シールリング（Ｏリング）５１を間に配置した状態で図示略のボルトを用いて行われていてもよく、溶着、接着等することで行われていてもよい。
【００１９】
第４のハウジング要素２４は、ケース３０より装置１０の半径方向外側に位置する。第４のハウジング要素２４は、ケース３０より装置１０の半径方向外側で装置１０の周方向に延びる第４のハウジング要素側周方向延び部２４ａと、第４のハウジング要素側周方向延び部２４ａから装置１０の半径方向外側に延びる第４のハウジング要素側半径方向延び部２４ｂと、を備える。
第４のハウジング要素２４は、装置１０の軸方向で第３のハウジング要素２３とは異なる位置にある。第４のハウジング要素２４は、第１のハウジング要素２１と固定されている。第４のハウジング要素２４と第１のハウジング要素２１との固定は、シールリング（Ｏリング）５２を間に配置した状態で図示略のボルトを用いて行われていてもよく、溶着、接着等することで行われていてもよい。
第４のハウジング要素２４は、ケース３０と固定されている。第４のハウジング要素２４とケース３０との固定は、シールリング（Ｏリング）５３を間に配置した状態で図示略のボルトを用いて行われていてもよく、溶着、接着等することで行われていてもよい。
【００２０】
ケース３０は、樹脂製または金属製である。ケース３０は、装置１０の軸方向に延びている。ケース３０は、第１のハウジング要素２１および第２のハウジング要素２２より、装置１０の軸方向内側に配置されている。ケース３０には、第２のガスＧ２をケース３０内に入れる入口孔３１と、第２のガスＧ２をケース３０の外部に出す出口孔３２と、を備える。入口孔３１と出口孔３２は、ケース３０の周方向に複数設けられている。
【００２１】
中空糸束４０は、水分透過性のある壁をもつ中空糸膜の束である。中空糸の内側を第１のガスＧ１が流れ、中空糸間の隙間を第２のガスＧ２が流れる。第１のガスＧ１が中空糸の内側を流れ第２のガスＧ２が中空糸間の隙間を流れていく間に、中空糸を通じて水分の移動が行われ、第２のガスＧ２が加湿される。
【００２２】
ケース内流路１１は、ケース３０の装置半径方向内側の流路である。ケース内流路１１は、ケース３０が装置軸方向に延びているため、装置軸方向に延びている。ケース内流路１１の導入流路１４側端の下端位置１１ａと、ケース内流路１１の排出流路１５側端の下端位置１１ｂとは、鉛直方向で同位置（同じ高さ）にある。
【００２３】
ガス導入口内流路１２は、第１のハウジング要素側小径部２１ａの装置半径方向内側の流路であり、第１のガスＧ１が流れる流路である。ガス導入口内流路１２は、第１のハウジング要素２１がケース３０より装置軸方向一側に位置するため、ケース内流路１１より装置軸方向一側に位置する。
【００２４】
ガス排出口内流路１３は、第２のハウジング要素側小径部２２ａの装置半径方向内側の流路であり、第１のガスＧ１が流れる流路である。ガス排出口内流路１３は、第２のハウジング要素２２がケース３０より装置軸方向他側に位置するため、ケース内流路１１より装置軸方向他側に位置する。
【００２５】
導入流路１４は、拡径部２１ｂの装置半径方向内側の流路であり、ガス導入口内流路１２を流れてきた第１のガスＧ１をケース内流路１１に導く流路である。導入流路１４は、拡径部２１ｂの装置半径方向内側に位置するため、装置１０の軸方向でケース内流路１１とガス導入口内流路１２との間に位置する。導入流路１４の流路断面積は、拡径部２１ｂの内径が第１のハウジング要素側小径部２１ａから離れるにつれて大とされているため、ガス導入口内流路１２からケース内流路１１に近づくにつれて大となっている。
【００２６】
排出流路１５は、縮径部２２ｂの装置半径方向内側の流路であり、ケース内流路１１から流れてきた第１のガスＧ１をガス排出口内流路１３に導く流路である。排出流路１５は、縮径部２２ｂの装置半径方向内側に位置するため、装置１０の軸方向でケース内流路１１とガス排出口内流路１３との間に位置する。排出流路１５の流路断面積は、縮径部２２ｂの内径が第２のハウジング要素側小径部２２ａに近づくにつれて小とされているため、ケース内流路１１からガス排出口内流路１３に近づくにつれて小となっている。
【００２７】
第２のガス導入口内流路１６は、第３のハウジング要素側半径方向延び部２３ｂの内側の流路であり、第２のガスＧ２が流れる流路である。第２のガス導入口内流路１６は、第３のハウジング要素側半径方向延び部２３ｂの内側に位置するため、ケース内流路１１の装置半径方向外側に位置する。
【００２８】
第２のガス排出口内流路１７は、第４のハウジング要素側半径方向延び部２４ｂの内側の流路であり、第２のガスＧ２が流れる流路である。第２のガス排出口内流路１７は、第４のハウジング要素側半径方向延び部２４ｂの内側に位置するため、ケース内流路１１の装置半径方向外側に位置し装置軸方向で第２のガス導入口内流路１６と異なる位置に位置する。
【００２９】
第２のガス導入流路１８は、第３のハウジング要素側周方向延び部２３ａの内側でケース３０の装置半径方向外側の流路であり、第２のガス導入口内流路１６から流れてきた第２のガスＧ２をケース内流路１１に導く流路である。第２のガス導入流路１８は、第３のハウジング要素側周方向延び部２３ａの内側でケース３０の装置半径方向外側に位置するため、装置半径方向にケース内流路１１と第２のガス導入口内流路１６との間に位置する。
【００３０】
第２のガス排出流路１９は、第４のハウジング要素側周方向延び部２４ａの内側でケース３０の装置半径方向外側の流路であり、ケース内流路１１から流れてきた第２のガスＧ２を第２のガス排出口内流路１７に導く流路である。第２のガス排出流路１９は、第４のハウジング要素側周方向延び部２４ａの内側でケース３０の装置半径方向外側に位置するため、装置半径方向にケース内流路１１と第２のガス排出口内流路１７との間に位置する。
【００３１】
第１のガスＧ１は、装置１０内に導入されると、ガス導入口内流路１２、導入流路１４を通り、ケース内流路１１に流入して中空糸の内側を流れる。第１のガスＧ１は、ケース内流路１１から流出すると、排出流路１５、ガス排出口内流路１３を通り、装置１０の外部に排出される。
第２のガスＧ２は、装置１０内に導入されると、第２のガス導入口内流路１６に流入し、第２のガス導入流路１８で装置周方向に全周に行き渡り、その後、入口孔３１からケース内流路１１に入り込んでいき、中空糸間を流れる。第２のガスＧ１は、中空糸束４０部位で第１のガスＧ１と水分交換を行い加湿される。中空糸束４０部位で加湿された第２のガスＧ２は、出口孔３２から第２のガス排出流路１９に流入し、その後、第２のガス排出口内流路１７を通って装置１０の外部に排出される。
【００３２】
ここで、本発明実施例１と実施例２にわたって共通する作用を説明する。
本発明実施例では、導入流路１４の流路断面積がガス導入口内流路１２からケース内流路１１に近づくにつれて大となっているため、ガス導入口内流路１２の流路断面積がケース内流路１１の流路断面積に比べて小であっても、ガス導入口内流路１２から流れてきたガスをケース内流路１１の全域に導くことができる。また、導入流路１４の流路断面積がガス導入口内流路１２からケース内流路１１に近づくにつれて大となっているため、導入流路１４の流路断面積が急激に変化することを防止でき、導入流路１４の流路断面積が急激に変化する場合に比べて、導入流路１４内のガス流れの抵抗を小にすることができる。
【００３３】
排出流路１５の流路断面積がケース内流路１１からガス排出口内流路１３に近づくにつれて小となっているため、排出流路１５の流路断面積が急激に変化することを防止でき、排出流路１５の流路断面積が急激に変化する場合に比べて、排出流路１５内のガス流れの抵抗を小にすることができる。
【００３４】
次に、本発明各実施例に特有な部分を説明する。
〔実施例１〕（図１）
本発明実施例１では、導入流路１４のケース内流路１１側端の下端位置１４ａが、ケース内流路１１の導入流路１４側端の下端位置１１ａと鉛直方向同位置（同高さ）にある。また、導入流路１４のケース内流路１１側端の下端位置１４ａが、ガス導入口内流路１２の導入流路１４側端の下端位置１２ａと鉛直方向同位置（同高さ）にあるか該下端位置１２ａより鉛直方向下方に位置している（図１では、下端位置１２ａより鉛直方向下方に位置する場合を示している）。また、排出流路１５のケース内流路１１側端の下端位置１５ａが、ケース内流路１１の排出流路１５側端の下端位置１１ｂと鉛直方向同位置（同高さ）にある。また、排出流路１５のケース内流路１１側端の下端位置１５ａが、ガス排出口内流路１３の排出流路１５側端の下端位置１３ａと鉛直方向同位置（同高さ）にあるか該下端位置１３ａより鉛直方向上方に位置している（図１では、下端位置１３ａと鉛直方向同位置にある場合を示している）。
【００３５】
導入流路１４のケース内流路１１側端の流路断面積は、ケース内流路１１の導入流路１４側端の流路断面積と同じかまたはほぼ同じである。排出流路１５のケース内流路１１側端の流路断面積は、ケース内流路１１の排出流路１５側端の流路断面積と同じかまたはほぼ同じである。
【００３６】
本発明実施例１では、導入流路１４のケース内流路１１側端の下端位置１４ａが、ケース内流路１１の導入流路１４側端の下端位置１１ａと鉛直方向同位置にあり、ガス導入口内流路１２の導入流路１４側端の下端位置１２ａと鉛直方向同位置にあるか該下端位置１２ａより鉛直方向下方に位置しているため、導入流路１４内の水はケース内流路１１側に流れる。そのため、従来に比べて、導入流路１４の下端部に水が溜ることを防止できる。
また、排出流路１５のケース内流路１１側端の下端位置１５ａが、ケース内流路１１の排出流路１５側端の下端位置１１ｂと鉛直方向同位置にあり、ガス排出口内流路１３の排出流路１５側端の下端位置１３ａと鉛直方向同位置にあるか該下端位置１３ａより鉛直方向上方に位置しているため、排出流路１５内の水はガス排出口内流路１３側に流れる。そのため、従来に比べて、排出流路１５の下端部に水が溜まることを防止できる。
【００３７】
導入流路１４のケース内流路１１側端の流路断面積がケース内流路１１の導入流路１４側端の流路断面積と同じかまたはほぼ同じであるため、導入流路１４のケース内流路１１側端の流路断面積がケース内流路１１の導入流路１４側端の流路断面積と異なる場合に比べて、導入流路１４からケース内流路１１に流入するガス流れの抵抗を小にすることができる。
また、排出流路１５のケース内流路１１側端の流路断面積がケース内流路１１の排出流路１５側端の流路断面積と同じかまたはほぼ同じであるため、排出流路１５のケース内流路１１側端の流路断面積がケース内流路１１の排出流路１５側端の流路断面積と異なる場合に比べて、ケース内流路１１から排出流路１５に流入するガス流れの抵抗を小にすることができる。
【００３８】
〔実施例２〕（図２）
本発明実施例２では、導入流路１４のケース内流路１１側端の下端位置１４ａが、ケース内流路１１の導入流路１４側端の下端位置１１ａより鉛直方向上方に位置している。また、導入流路１４のケース内流路１１側端の下端位置１４ａが、ガス導入口内流路１２の導入流路１４側端の下端位置１２ａと鉛直方向同位置（同高さ）にあるか該下端位置１２ａより鉛直方向下方に位置している（図２では、下端位置１２ａより鉛直方向下方に位置する場合を示している）。また、排出流路１５のケース内流路１１側端の下端位置１５ａが、ケース内流路１１の排出流路１５側端の下端位置１１ｂより鉛直方向下方に位置している。また、排出流路１５のケース内流路１１側端の下端位置１５ａが、ガス排出口内流路１３の排出流路１５側端の下端位置１３ａと鉛直方向同位置（同高さ）にあるか該下端位置１３ａより鉛直方向上方に位置している（図２では、下端位置１３ａと鉛直方向同位置にある場合を示している）。
【００３９】
導入流路１４のケース内流路１１側端の流路断面積は、ケース内流路１１の導入流路１４側端の流路断面積より小である。排出流路１５のケース内流路１１側端の流路断面積は、ケース内流路１１の排出流路１５側端の流路断面積より大である。
【００４０】
本発明実施例２では、導入流路１４のケース内流路１１側端の下端位置１４ａが、ケース内流路１１の導入流路１４側端の下端位置１１ａより鉛直方向上方に位置しており、ガス導入口内流路１２の導入流路１４側端の下端位置１２ａと鉛直方向同位置にあるか該下端位置１２ａより鉛直方向下方に位置しているため、導入流路１４内の水はケース内流路１１側に流れる。そのため、従来に比べて、導入流路１４の下端部に水が溜まることを防止できる。
また、排出流路１５のケース内流路１１側端の下端位置１５ａが、ケース内流路１１の排出流路１５側端の下端位置１１ｂより鉛直方向下方に位置しており、ガス排出口内流路１３の排出流路１５側端の下端位置１３ａと鉛直方向同位置にあるか該下端位置１３ａより鉛直方向上方に位置しているため、排出流路１５内の水はガス排出口内流路１３側に流れる。そのため、従来に比べて、排出流路１５の下端部に水が溜まることを防止できる。
【図面の簡単な説明】
【００４１】
【図１】本発明実施例１の加湿装置の断面図である。
【図２】本発明実施例２の加湿装置の断面図である。
【図３】従来の加湿装置の断面図である。
【符号の説明】
【００４２】
１０  加湿装置
１１  ケース内流路
１１ａ  ケース内流路の導入流路側端の下端位置
１１ｂ  ケース内流路の排出流路側端の下端位置
１２  ガス導入口内流路
１２ａ  ガス導入口内流路の導入流路側端の下端位置
１３  ガス排出口内流路
１３ａ  ガス排出口内流路の排出流路側端の下端位置
１４  導入流路
１４ａ  導入流路のケース内流路側端の下端位置
１５  排出流路
１５ａ  排出流路のケース内流路側端の下端位置
１６  第２のガス導入口内流路
１７  第２のガス排出口内流路
１８  第２のガス導入流路
１９  第２のガス排出流路
２０  ハウジング
２１  第１のハウジング要素
２１ａ  第１のハウジング要素側小径部
２１ｂ  拡径部
２２  第２のハウジング要素
２２ａ  第２のハウジング要素側小径部
２２ｂ  縮径部
２３  第３のハウジング要素
２３ａ  第３のハウジング要素側周方向延び部
２３ｂ  第３のハウジング要素側半径方向延び部
２４  第４のハウジング要素
２４ａ  第４のハウジング要素側周方向延び部
２４ｂ  第４のハウジング要素側半径方向延び部
３０  ケース
３１  入口孔
３２  出口孔
４０  中空糸束
５０，５１，５２，５３  シールリング
Ｇ１  第１のガス
Ｇ２  第２のガス
【図１】
2008133989.tif 000003
【図２】
2008133989.tif 000004
【図３】
2008133989.tif 000005